(57)【要約】【課題】他の電子機器のリモコンにより操作可能なデジタルフォトフレームを提供する。【解決手段】表示部に画像を順次表示するデジタルフォトフレーム２であって、他の電子機器のリモコン信号を受信する受信部１０と、前記リモコン信号に基づいて、該デジタルフォトフレーム２が特定の動作を行うよう制御する制御部３０とを備える。【選択図】図３
2010021675.tif 000002
【特許請求の範囲】
【請求項１】
表示部に画像を順次表示するデジタルフォトフレームであって、
他の電子機器のリモコン信号を受信する受信部と、
前記リモコン信号に基づいて、該デジタルフォトフレームが特定の動作を行うよう制御する制御部と
を備えることを特徴とするデジタルフォトフレーム。
【請求項２】
前記他の電子機器は、テレビであることを特徴とする請求項１記載のデジタルフォトフレーム。
【請求項３】
前記制御部は、前記リモコンによるオンオフ操作指示に応じて該デジタルフォトフレームの電源のオンオフを行うことを特徴とする請求項２記載のデジタルフォトフレーム。
【請求項４】
前記テレビの電源のオンオフを検出する検出部を備え、
前記制御部は、前記検出部により前記テレビの電源のオンを検出している場合に、前記受信部により前記オンオフ操作指示信号を受信した場合に、該デジタルフォトフレームの電源をオンし、前記検出部により前記テレビの電源のオフを検出している場合に、前記受信部により前記オンオフ操作指示信号を受信した場合に、該デジタルフォトフレームの電源をオフすることを特徴とする請求項３記載のデジタルフォトフレーム。
【請求項５】
前記テレビの電源のオンオフを検出する検出部を備え、
前記制御部は、前記検出部により前記テレビの電源のオンを検出している場合に、前記受信部により前記オンオフ操作指示信号を受信した場合に、該デジタルフォトフレームの電源をオフし、前記検出部により前記テレビの電源のオフを検出している場合に、前記受信部により前記オンオフ操作指示信号を受信した場合に、該デジタルフォトフレームの電源をオンすることを特徴とする請求項３記載のデジタルフォトフレーム。
【請求項６】
前記検出部は、周囲の音を検出することを特徴とする請求項３〜５の何れか一項に記載のデジタルフォトフレーム。
【請求項７】
前記検出部は、周囲の明るさを検出することを特徴とする請求項３〜５の何れか一項に記載のデジタルフォトフレーム。
【請求項８】
前記検出部は、周囲の電磁波を検出することを特徴とする請求項３〜５の何れか一項に記載のデジタルフォトフレーム。
【請求項９】
前記制御部は、前記リモコンによるチャンネル指定指示に応じて前記表示部に表示される画像を切換えることを特徴とする請求項２記載のデジタルフォトフレーム。
【請求項１０】
前記制御部は、前記リモコンによるチャンネル指定指示に応じて前記表示部に表示される前記画像が記憶されているフォルダを変更することを特徴とする請求項２記載のデジタルフォトフレーム。
【請求項１１】
前記画像に対してお気に入り度が設定されており、
前記制御部は、前記リモコンによるチャンネル指定指示に応じた前記お気に入り度の前記画像を前記表示部に表示することを特徴とする請求項２記載のデジタルフォトフレーム。
【請求項１２】
前記制御部は、前記リモコンによるチャンネル指定指示に応じて前記表示部に表示されている前記画像の前記お気に入り度を設定することを特徴とする請求項２記載のデジタルフォトフレーム。
【請求項１３】
前記画像に対応して撮影シーンの種類が記憶されており、
前記制御部は、前記リモコンによるチャンネル指定指示に応じた前記撮影シーンの前記画像を前記表示部に表示することを特徴とする請求項２記載のデジタルフォトフレーム。
【請求項１４】
前記受信部により前記リモコンから同一の操作指示信号を連続して受信した場合には、
前記制御部は、該デジタルフォトフレームに特定動作を行わせるよう制御することを特徴とする請求項２記載のデジタルフォトフレーム。
【請求項１５】
前記特定動作は、電源オフであることを特徴とする請求項１４記載のデジタルフォトフレーム。
【請求項１６】
前記特定動作は、消音動作であることを特徴とする請求項１４記載のデジタルフォトフレーム。
【発明の詳細な説明】
【技術分野】
【０００１】
本発明は、デジタルフォトフレームに関するものである。
【背景技術】
【０００２】
観賞用画像を電気的に表示する表示部を備えたデジタルフォトフレームが知られている（例えば、特許文献１参照）。このようなデジタルフォトフレームは、本体に設けられている操作スイッチ、または専用リモコンで操作するのが一般的である。
【特許文献１】特開２００１−６７００４号公報
【発明の開示】
【発明が解決しようとする課題】
【０００３】
しかしながら、操作スイッチによる操作を行うためにはデジタルフォトフレームに近づく必要があり、また専用リモコンは家庭内にある他の電子機器のリモコンと混同しやすく不便である。
【０００４】
本発明の目的は、他の電子機器のリモコンにより操作可能なデジタルフォトフレームを提供することである。
【課題を解決するための手段】
【０００５】
本発明のデジタルフォトフレームは、画像を順次表示するデジタルフォトフレームであって、他の電子機器のリモコン信号を受信する受信部と、前記リモコン信号に基づいて、該デジタルフォトフレームが特定の動作を行うよう制御する制御部とを備えることを特徴とする。
【発明の効果】
【０００６】
本発明のデジタルフォトフレームによれば、他の電子機器のリモコンにより操作することができる。
【発明を実施するための最良の形態】
【０００７】
以下、図面を参照して、本発明の第１の実施形態に係るデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。
【０００８】
図１は、本実施形態に係るＤＰＦの操作をテレビのリモコン操作により行う場合の例を示している。同図に示すように、テレビ４０は、該テレビ４０のリモコン４２に設けられた電源ボタン４２ａ、数字キー４２ｂ、十字キー４２ｃ等の操作に応じた赤外線のリモコン信号を赤外線受光部４１で受信しリモコン信号に応じた動作を行う。また、本実施形態に係るＤＰＦ２は、テレビ４０のリモコン４２からのリモコン信号を検出するリモコン信号検出部１０を備えリモコン信号に応じた動作を行う。
【０００９】
図２は、第１の実施形態に係るＤＰＦの外観を示す斜視図である。ＤＰＦ２は、ガラスやプラスチック等からなる装置本体４を備え、装置本体４の前面には、観賞用画像や時刻等の情報を電気的に表示するディスプレイ６が設けられている。また、装置本体４の前面には、音楽や音声が出力されるスピーカ８と、赤外線のリモコン信号を検出するリモコン信号検出部１０が設けられ、装置本体４の上面には、ＤＰＦ２の電源のオン／オフ状態を切り換える電源スイッチ１２及びＤＰＦ２の機能設定やディスプレイ６の表示設定の際に使用する操作キー１４が設けられている。また、装置本体４の一方の側面には、画像や音楽等のデータが記憶されたＳＤカードとＣＦカードの各々を挿入することができるＳＤカードスロット１６、ＣＦカードスロット１７、ＵＳＢ機器が接続されるＵＳＢポート１８が設けられている。
【００１０】
図３は、第１の実施の形態に係るＤＰＦ２のシステム構成を示すブロック図である。ＤＰＦ２は、ディスプレイ６、スピーカ８、電源スイッチ１２、操作キー１４、ＳＤカードスロット１６、ＣＦカードスロット１７、ＵＳＢポート１８、リモコン信号検出部１０、信号パターン記憶部２２、音声検出部２４、内部メモリ２６、及びＣＰＵ３０を含んで構成されている。尚、ディスプレイ６、スピーカ８、電源スイッチ１２、操作キー１４、ＳＤカードスロット１６、ＣＦカードスロット１７、ＵＳＢポート１８、及びリモコン信号検出部１０については、上述した図２の説明と同様であり説明を省略する。
【００１１】
信号パターン記憶部２２には、テレビ４０のリモコン４２のリモコン信号の信号パターンが記憶されている。ここで、リモコン信号は、所定のリーダコード、各メーカの機器毎に割り当てられたカスタムコード、及び各リモコン操作を示すデータコードで構成されている。従って、信号パターン記憶部２２には、例えば、Ａ社、Ｂ社、Ｃ社のテレビのリモコン信号のパターンとして、所定のリーダコードと、Ａ社、Ｂ社、Ｃ社の各テレビに対応するカスタムコードと、テレビの各操作を示すデータコードとが対応づけて記憶されている。
【００１２】
音声検出部２４は、マイクで構成され、周囲の音を検出する。尚、本実施形態では、所定の時間間隔で周囲音を検出する。また、内部メモリ２６は、ＤＰＦ２の機能の設定情報、及び画像や音楽等のデータ等を記憶している。ＣＰＵ３０は、図示しないＲＯＭやＲＡＭを含み、ＲＯＭに記憶されたプログラムを実行することによりＤＰＦ２を構成する各部を制御する。
【００１３】
次に、本実施形態に係るＤＰＦ２の動作について、図４のフローチャートを用いて説明する。ＣＰＵ３０は、音声検出部２４により、所定の時間間隔で周囲音を検出し、検出した音声データをＲＡＭに記憶する(ステップＳ１０)。そして、ＣＰＵ３０は、リモコン信号検出部１０によってリモコン信号を受信した場合(ステップＳ１１：Ｙ)、信号パターン記憶部２２に記憶されている信号パターンのカスタムコードを参照し、受信したリモコン信号のカスタムコードが登録されているか否か判断する(ステップＳ１２)。
【００１４】
ステップＳ１２において、受信したリモコン信号のカスタムコードが登録されていると判断した場合(ステップＳ１２：Ｙ)、信号パターンのデータコードを参照し、そのリモコン信号のデータコードを解析する(ステップＳ１３)。そして、ＣＰＵ３０は、そのデータコードが電源ボタン４２ａの押下指示であると判断した場合には(ステップＳ１４：Ｙ)、テレビ４０の電源のオンオフ状態を判別する（ステップＳ１６)。即ち、ＲＡＭに記憶されている周囲音の音量が所定の閾値よりも大きい場合には、テレビ４０の電源がオン状態であったと判断し、所定の閾値よりも小さい場合には、テレビ４０の電源がオフ状態であったと判断する。
【００１５】
ここでステップＳ１６でテレビ４０の電源がオン状態であったと判別した場合には、ＤＰＦ２の電源をオンに制御する(ステップＳ１７)。なお、この場合にリモコン４２のリモコン信号によりテレビ４０の電源はオフされる。そして、ＣＰＵ３０は、ＤＰＦ２の内部メモリ２６に記憶されている画像データと該画像データに付加されて記憶されている音声データを順次読み出し、読み出した画像データをディスプレイ６に表示し音声データをスピーカ８から出力して再生する (ステップＳ１８)。
【００１６】
また、ステップＳ１６において、テレビ４０の電源がオフ状態であった判別した場合には、ＤＰＦ２の電源をオフに制御する(ステップＳ１９)。なお、この場合にリモコン４２のリモコン信号によりテレビ４０の電源はオンされる。
【００１７】
なお、ステップＳ１１においてリモコン信号検出部１０によりリモコン信号が受信されなかった場合(ステップＳ１１：Ｎ)、ステップＳ１１においてリモコン信号検出部１０により受信されたリモコン信号のカスタムコードが信号パターン記憶部２２に登録されていない場合（例えば、ビデオなどはカスタムコードが登録されていない）(ステップＳ１２：Ｎ)、及び、ステップＳ１１においてリモコン信号検出部１０により受信されたリモコン信号のデータコードが、電源ボタン４２ａの押下指示でない場合(ステップＳ１４：Ｎ)には、受信したリモコン信号は無効であるものとして処理を終了する。
【００１８】
本実施形態では、テレビ４０のリモコン４２を用いて電源ボタン４２ａを押下する操作を行うことにより、テレビ４０の電源のオン／オフを切り換え、そのテレビの電源のオン／オフ切り換えに連動してＤＰＦの電源オン／オフを制御することができる。そのため、ＤＰＦ専用のリモコンを用いることなく、ＤＰＦの電源のオンオフ操作を、他の機器のリモコン操作により行うことができる。また、１回のリモコン操作で、テレビとＤＰＦの電源のオン／オフ状態が相互に異なるように切り換えることができるので、機器毎に電源のオン／オフを切り換える手間を省くことができる。
【００１９】
次に、第２の実施形態に係るＤＰＦについて説明する。上述した第１の実施形態では、テレビ４０のリモコン４２の電源ボタン４２ａの押下操作により、ＤＰＦ２の電源オン／オフ制御を行うものとして説明したが、本実施形態では、ＤＰＦ２において画像を再生する際に、リモコン４２の数字キー４２ｂを用いた操作により、再生する画像が記憶されている媒体を選択し、その媒体に記憶されている画像の再生を行う。
【００２０】
尚、本実施形態においては、上述した第１の実施形態に係るＤＰＦ２と、テレビ４０用のリモコン４２とを用いる。従って第１の実施形態と同一の構成については同一の符号を用いて説明を行い、第１の実施形態で説明したものについては説明を省略する。
【００２１】
本実施形態に係る信号パターン記憶部２２は、第１の実施形態で説明した各信号パターンを記憶し、更に、各数字キー４２ｂの押下指示を示す信号パターンと再生対象となる媒体を示す再生媒体情報とを対応づけて記憶している。本実施形態では、数字キー“１”の信号パターンに内部メモリ２６、数字キー“２”の信号パターンにＳＤカード、数字キー“３”の信号パターンにＣＦカードが対応づけて記憶されている。尚、再生対象の媒体を選択するための数字キーの押下は、ＤＰＦ２が画像再生を開始する前の再生準備モードであるときに有効となる。再生準備モードは、リモコン４２の十字キー４２ｃを用いた操作によって設定されるものとし、再生準備モードを示すリモコン信号の信号パターンについても信号パターン記憶部２２に記憶されている。
【００２２】
以下、本実施形態に係るＤＰＦ２の動作について図５のフローチャートを用いて説明する。尚、ＤＰＦ２は、電源がオンに設定され、リモコン４２の十字キー４２ｃを用いたユーザ操作により、再生準備モードに設定されているものとする。
【００２３】
ＣＰＵ３０は、リモコン信号検出部１０によりリモコン信号を受信した場合に(ステップＳ２０：Ｙ)、信号パターン記憶部２２に記憶されている信号パターンのカスタムコードを参照し、受信したリモコン信号のカスタムコードが登録されているときには(ステップＳ２１：Ｙ)、信号パターンのデータコードと再生媒体情報を参照し、受信したリモコン信号のデータコードを解析する(ステップＳ２２)。そして、ＣＰＵ３０は、そのデータコードが数字キー “１”の押下指示であると解析した場合には(ステップＳ２３：Ｙ)、内部メモリ２６を再生媒体として選択し、内部メモリ２６に記憶されている画像データを順次読み出し、読み出した画像データをディスプレイ６に出力することにより画像の再生を行う(ステップＳ２４)。
【００２４】
また、ステップＳ２３において、ＣＰＵ３０は、データコードが数字キー“２”の押下指示であると解析した場合には(ステップＳ２３：Ｎ、Ｓ２５：Ｙ)、ＳＤカードを再生媒体として選択する。そして、ＣＰＵ３０は、ＳＤカードスロット１６にＳＤカードが装着されていることを検出した場合に (ステップＳ２６：Ｙ)、そのＳＤカードに記憶されている画像データを順次読み出し、読み出した画像データをディスプレイ６に順次表示することにより画像の再生を行う(ステップＳ２７)。
【００２５】
ステップＳ２５において、ＣＰＵ３０は、データコードが数字キー“３”の押下指示であると解析した場合には(ステップＳ２３：Ｎ、Ｓ２５：Ｎ、Ｓ２８：Ｙ)、ＣＦカードを再生媒体として選択する。そして、ＣＰＵ３０は、ＣＦカードスロット２０にＣＦカードが装着されていることを検出した場合は(ステップＳ２９：Ｙ)、そのＣＦカードに記憶されている画像データを順次読み出し、読み出した画像データをディスプレイ６に順次表示して画像の再生を行う(ステップＳ３０)。
【００２６】
なお、ＣＰＵ３０は、ステップＳ２０においてリモコン信号を受信しない場合には(ステップＳ２０：Ｎ)、リモコン信号を受信するまで再生準備モードで待機する。また、ＣＰＵ３０は、ステップＳ２１において受信したリモコン信号のカスタムコードが信号パターン記憶部２２に登録されていないとき(ステップＳ２１：Ｎ)、又は、ステップＳ２６においてＳＤカードスロット１６にＳＤカードが装着されていないとき(ステップＳ２６：Ｎ)、又は、ステップＳ２８においてデータコードが数字キー“３”の押下指示でないと解析したとき(ステップＳ２８：Ｎ)、又は、ステップＳ２９においてＣＦカードスロット２０にＣＦカードが装着されていないとき(ステップＳ２９：Ｎ)には、受信したリモコン信号が無効なものとして処理を終了する。
【００２７】
本実施形態では、画像を再生する際に、再生する画像データが記憶されている媒体をテレビ４０のリモコン４２の数字キーを用いて選択し、選択した媒体に記憶されている画像データ等を再生することができる。そのため、ＤＰＦ２専用のリモコンを用いることなく、テレビのリモコンに通常設けられている数字キーを押下する操作により、容易に再生する媒体を選択することができる。
【００２８】
次に、上述した第２の実施形態の変形例について説明する。上述の第２の実施形態は、再生準備モードにおいて、リモコン４２の数字キー４２ｂの押下指示で再生する画像が記憶されている媒体の選択を行っているが、本変形例では、画像の再生中に、リモコン４２の数字キー４２ｂを押下するリモコン信号を受信した場合、その数字キーに応じたユーザのお気に入り度を再生中の画像データに対応づけて記憶させる。
【００２９】
例えば、ユーザのお気に入り度が高い順に１〜１０のお気に入り度を設定できるようにする場合には、リモコン４２の数字キー４２ｂの各々に割り付けられた数字と上記お気に入り度が一致するように、各数字キー４２ｂを押下する信号パターンとお気に入り度を対応づけて信号パターン記憶部２２に予め記憶する。また、お気に入り度を設定するための数字キー４２ｂの押下は、画像再生モードにおいて有効であり、上述した第２の実施形態と同様、画像再生モードは、リモコン４２の十字キー４２ｃを用いた操作によって設定されるものとし、画像再生モードを示すリモコン信号の信号パターンが信号パターン記憶部２２に記憶されているものとする。
【００３０】
以下、本変形例に係るＤＰＦ２の動作について図６のフローチャートを用いて説明する。尚、ＤＰＦ２は、電源がオンに設定され、リモコン４２の十字キー４２ｃを用いたユーザ操作により画像再生モードに設定され、ＳＤカードスロット１６に装着されたＳＤカードに記憶されている画像データを再生しているものとする。
【００３１】
ＣＰＵ３０は、ＳＤカードスロット１６に装着されたＳＤカードに記憶されている１フレームの画像データを所定時間毎に順次読み出し、読み出した１フレームの画像データをディスプレイ６に表示して画像データの再生を行う(ステップＳ４０)。ＣＰＵ３０は、リモコン信号検出部１０によりリモコン信号を受信した場合(ステップＳ４１：Ｙ)、信号パターン記憶部２２に記憶された信号パターンのカスタムコードを参照し、受信したリモコン信号のカスタムコードが登録されているか否か判断する(ステップＳ４２)。ＣＰＵ３０は、そのカスタムコードが登録されていると判断した場合(ステップＳ４２：Ｙ)、信号パターン記憶部２２に記憶された信号パターンのデータコードを参照し、受信したリモコン信号のデータコードを解析する(ステップＳ４３)。ＣＰＵ３０は、そのデータコードが数字キーの押下指示であると解析した場合(ステップＳ４４：Ｙ)、信号パターン記憶部２２に記憶された信号パターンのデータコードとお気に入り度とを参照し、その受信したリモコン信号のデータコードが示す数字キーに対応するお気に入り度を再生中の画像データのヘッダ情報として、その画像データが記憶されているＳＤカードに記憶する(ステップＳ４５)。
【００３２】
なお、ＣＰＵ３０は、ステップＳ４１においてリモコン信号を受信しなかった場合(ステップＳ４１：Ｎ)、又は、ステップＳ４２において受信したリモコン信号のカスタムコードが信号パターン記憶部２２に登録されていないとき(ステップＳ４２：Ｎ)、又は、ステップＳ４４においてデータコードが数字キー４２ｂの押下指示でないと解析したとき(ステップＳ４４：Ｎ)には、再生中の画像データに対するお気に入り度の設定処理を終了する。尚、１フレームの画像データを再生する毎に上述したお気に入り度の設定処理を繰り返し行うものとする。
【００３３】
本変形例では、画像の再生中にリモコン４２の数字キー４２ｂを押下することにより、再生中の画像に対するユーザのお気に入り度を設定することができる。そのため、ＤＰＦ２専用のリモコンを用いず、またＤＰＦ２の操作キー１４を直接操作することなく、テレビ４０のリモコン４２に通常設けられている数字キー４２ｂを用いて容易にお気に入り度を設定することができる。
【００３４】
また、上述のようにして画像データに対してお気に入り度が記憶されている場合には、リモコン４２の数字キー４２ｂを操作することにより、ＤＰＦ２において、操作された数字キーに対応づけられたお気に入り度が記憶されている画像データを順次読み出して、表示部６に表示するようにしてもよい。
【００３５】
また、リモコン４２の数字キー４２ｂを操作することにより、その数字で示される枚数分前の、または後の画像を表示するようにしてもよい。
【００３６】
また、上述の第１の実施形態では、テレビ４０とＤＰＦ２の電源のオン／オフ状態が相互に異なるようにＤＰＦ２の電源のオン／オフ制御を行っているが、テレビ４０とＤＰＦ２の電源のオン／オフ状態が同じになるようにＤＰＦ２の電源のオン／オフ制御を行うようにしてもよい。つまり、リモコン４２の電源ボタン４２ａを押下することにより、テレビの電源がオンに切り換えられた場合にはＤＰＦ２の電源をオンに制御し、テレビの電源がオフに切り換えられた場合には、ＤＰＦ２の電源もオフに制御する。
【００３７】
また、上述の第１の実施形態では、テレビ４０の電源のオンオフ状態を検出するために、ＤＰＦ２に音声検出部２４を備え、ＤＰＦ２の周囲の音を検出しているが、ＤＰＦ２の周囲の明るさを検出し、所定の明るさ以上の明るさを検出した場合には、テレビ４０の電源がオンされていると判断し、またはＤＰＦ２の周囲の電磁波の量を検出し、所定量以上の電磁波を検出した場合に、テレビ４０の電源がオンされていると判断するようにしてもよい。
【００３８】
また、上述した第２の実施形態の変形例では、再生中の画像データに対するユーザのお気に入り度を画像データのヘッダ情報として記憶しているが、画像データを再生中に、ユーザにより数字キー４２ｂが押下された場合、画像データが記憶されている記憶媒体に、その押下された数字キー４２ｂに対応するお気に入り度のフォルダを生成し、その画像データを生成したフォルダに記憶するようにしてもよい。
【００３９】
また、上述した第２の実施形態では、リモコン４２の数字キー４２ｂに画像データを記憶している媒体を対応づけ、数字キー４２ｂの押下により選択された媒体に記憶されている画像の再生処理を行っているが、リモコン４２の数字キー４２ｂに撮影年を対応づけ（１ＣＨに２００５年撮影画像、２ＣＨに２００６年撮影画像など）、数字キー４２ｂの押下により選択された年度に撮影された画像の再生を行うようにしてもよい。即ち、押下された数字キー４２ｂに対応づけられた撮影年がヘッダ情報に記憶されている画像を順次読み出して表示部６に表示するようにしてもよい。
【００４０】
また、リモコン４２の数字キー４２ｂに画像のシーンの種類を対応づけ（１ＣＨに海辺画像、２ＣＨに人物画像など）、数字キー４２ｂの押下により選択されたシーンの画像の再生を行うようにしてもよい。即ち、押下された数字キー４２ｂに対応づけられたシーンがヘッダ情報に記憶されている画像を順次読み出して表示部６に表示するようにしてもよい。
【００４１】
また、リモコン４２の数字キー４２ｂに画像の撮影月を対応づけ（１ＣＨに１月撮影画像（年は問わない）、２ＣＨに２月撮影画像（年は問わない）・・・）、数字キー４２ｂの押下により選択された撮影月の画像の再生を行うようにしてもよい。即ち、押下された数字キー４２ｂに対応づけられた撮影月がヘッダ情報に記憶されている画像を順次読み出して表示部６に表示するようにしてもよい。
【００４２】
また、リモコン４２の数字キー４２ｂに画像に含まれる被写体の数を対応づけ（１ＣＨに人物１人、２ＣＨに人物２人、３ＣＨに人物三人以上など）、数字キー４２ｂの押下により選択された被写体数の画像の再生を行うようにしてもよい。即ち、押下された数字キー４２ｂに対応づけられた被写体数がヘッダ情報に記憶されている画像を順次読み出して表示部６に表示するようにしてもよい。
【００４３】
また、リモコン４２の数字キー４２ｂに撮影時間を対応づけ（１ＣＨに午前中撮影、２ＣＨに午後撮影、３ＣＨに夜間撮影など）、数字キー４２ｂの押下により選択された撮影時間の画像の再生を行うようにしてもよい。即ち、押下された数字キー４２ｂに対応づけられた撮影時間がヘッダ情報に記憶されている画像を順次読み出して表示部６に表示するようにしてもよい。
【００４４】
また、リモコン４２の数字キー４２ｂに撮影季節を対応づけ（１ＣＨに春撮影、２ＣＨに夏撮影、３ＣＨに秋撮影、４ＣＨに冬撮影）、数字キー４２ｂの押下により選択された撮影季節の画像の再生を行うようにしてもよい。即ち、押下された数字キー４２ｂに対応づけられた撮影季節がヘッダ情報に記憶されている画像を順次読み出して表示部６に表示するようにしてもよい。
【００４５】
また、リモコン４２の数字キー４２ｂに撮影日を対応づけ（１ＣＨに直近１月、２ＣＨに半年前〜１月前、３ＣＨに１年前〜半年前）、数字キー４２ｂの押下により選択された撮影日の画像の再生を行うようにしてもよい。即ち、押下された数字キー４２ｂに対応づけられた撮影日がヘッダ情報に記憶されている画像を順次読み出して表示部６に表示するようにしてもよい。
【００４６】
また、上述の実施形態において、ＤＰＦ２がテレビ４０のリモコン４２から連続して同じ操作（例えば、特定キーのダブルクリックまたは長押しなど）のリモコン信号を受信した場合には、電源オフ、消音など特定の動作を行うようにしてもよい。例えば、１ＣＨ表示時に１ＣＨキーをダブルクリックなどすれば、テレビ４０には実質影響せずに、ＤＰＦ２は特定の動作をするためのリモコン信号として受信する。この場合には、テレビ４０に影響を与えることなくＤＰＦ２を操作することができる。
【図面の簡単な説明】
【００４７】
【図１】第１の実施形態に係るＤＰＦとＤＰＦを操作するテレビのリモコンを示す図である。
【図２】第１の実施形態に係るＤＰＦの外観を示す斜視図である。
【図３】第１の実施形態に係るＤＰＦのシステム構成を示すブロック図である。
【図４】第１の実施形態に係るＤＰＦの電源のオン／オフ制御の処理を示すフローチャートである。
【図５】第２の実施形態に係るＤＰＦの媒体選択再生処理を示すフローチャートである。
【図６】第２の実施形態の変形例に係るＤＰＦのお気に入り度の設定処理を示すフローチャートである。
【符号の説明】
【００４８】
２…デジタルフォトフレーム（ＤＰＦ）、４…装置本体、６…ディスプレイ、１０…リモコン信号検出部、１２…電源スイッチ、１４…操作キー、１６…ＳＤカードスロット、１７…ＣＦカードスロット、１８…ＵＳＢポート、２２…信号パターン記憶部、２４…音声検出部、２６…内部メモリ、３０…ＣＰＵ
【図１】
2010021675.tif 000003
【図２】
2010021675.tif 000004
【図３】
2010021675.tif 000005
【図４】
2010021675.tif 000006
【図５】
2010021675.tif 000007
【図６】
2010021675.tif 000008